(57)【要約】      （修正有）【課題】ユニットハウスごとに設置された照明器具を、ユニットハウスを連結した場合でも一箇所で操作することが可能になり、照明器具の操作が容易なユニットハウス用照明具を提供する。【解決手段】ユニットハウス１の室内の天井部分に装着された照明器具８を設ける。該室内の出入口５近傍に配置され照明器具８の点滅操作を遠隔操作せしめるリモコン９を設ける。該リモコン９の信号を受信すると共に、室内の各照明器具８に配線された受信機７を設ける。ユニットハウス１を複数棟連結して面積が広がった室内全ての照明器具８の点滅操作を、出入口近傍に配置されたリモコン９にて行うように設ける。【選択図】図２
0003147845.tif 000002
【実用新案登録請求の範囲】
【請求項１】
室内の天井部分に装着されるユニットハウス用照明具において、ユニットハウスの室内の天井部分に装着された照明器具と、該室内の出入口近傍に配置され照明器具の点滅操作を遠隔操作せしめるリモコンと、該リモコンの信号を受信すると共に、室内の各照明器具に配線された受信機とを備え、ユニットハウスを複数棟連結して面積が広がった室内全ての照明器具の点滅操作を、出入口近傍に配置されたリモコンにて行うように設けられたことを特徴とするユニットハウス用照明具。
【請求項２】
前記ユニットハウスは、ユニットハウスごとに装着される分電盤と、該分電盤から電源配線及び送り配線によってユニットハウスごとに配線された複数の照明器具と、電源配線からジョイントボックスを介して延長された受信機配線と、該受信機配線に配線された前記受信機と、複数のユニットハウスが連結されて面積が広がった室内の出入口近傍に配置されたリモコンと、を備えた請求項１記載のユニットハウス用照明具。
【請求項３】
前記ユニットハウスは、単体が平面矩形状を成し、四隅に配置された柱と、該柱に連結自在に設けられた壁パネルと、該壁パネルの下端部に連結される床パネルと、壁パネルの上端部に連結される天井パネルとで構成され、複数のユニットハウスが並列に連結され各ユニットハウスを仕切る壁パネルが取り外されたときに面積が広がる部屋を有する請求項１又は２記載のユニットハウス用照明具。
【考案の詳細な説明】
【技術分野】
【０００１】
本考案はユニットハウス用照明具に係り、複数のユニットが連結された場合でも、一箇所での操作が可能になるユニットハウス用照明具に関する。
【背景技術】
【０００２】
ユニットハウスは、主に、鉄骨や木材を材料とした屋根、床、柱のフレームに断熱機能を備えたパネルを組み合わせることにより箱型のユニットを形成し、単体のユニット又は複数のユニットを連結して居住空間を提供する工業製品である。このようなユニットハウスは、一般的な住居地区や工業地域等において、簡単な事務所や仮設住宅などとして現在広く使用されている。
【０００３】
このユニットハウスには、単体のユニットごとに照明器具とその操作用スイッチが配置されている。特許文献１には、屋根の天井化粧板面に、照明器具を装着するランプケースを凹部状に形成したユニットハウスが記載されている。したがって、複数のユニットを連結した場合、ユニットごとに照明器具とその操作スイッチが備わることになる。このように、ユニットハウスの照明器具は、単体のユニットごとに装着されるものである。
【０００４】
一方、特許文献２は、ユニットハウスを連結したときの各ユニットハウスの装置を連結する手段が記載されている。すなわち、特許文献２には、複数のユニットハウスを連結したときに、各ユニットハウスに装着された警備装置をひとつの装置として連結する手段が記載されている。このユニットハウスでは、各ユニットハウスの配線部の端部にモジュールプレートを連結し、隣接するユニットハウスのモジュールプレートの間をモジュールコードで結線することで、各ユニットハウスに装着された警備装置をひとつの装置として連結するものである。
【特許文献１】特開２００８−１０１４０２号公報
【特許文献２】特開２００４−３１０５３５号公報
【考案の開示】
【考案が解決しようとする課題】
【０００５】
特許文献１の如き従来のユニットハウスでは、複数のユニットハウスを連結した場合、ユニットハウスごとに照明器具と操作スイッチが配置されているので、連結されたユニットハウスの照明器具を操作するには、ユニットハウスごとに操作する必要があった。このため、ユニットハウスの連結数が多くなるほどスイッチの数も多くなり、照明の操作が煩雑になっていた。しかも、連結で広くなったユニットハウスの各所に操作スイッチが点在することになるので、照明器具の操作が極めて不便になっている。
【０００６】
一方、特許文献２のように、連結時に各ユニットハウスの配線部を連結する手段を有するものでは、予めユニットハウスの配線部の端部にモジュールプレートを連結し、このモジュールプレート間をモジュールコードで結線する必要がある。そのため、各ユニットハウスの配線部の構造が複雑になり、ユニットハウス自体の製造コストを高める不都合もある。更に、特許文献２の如く、モジュールプレート間をモジュールコードで結線する作業で利用可能なのは警備装置に限られており、照明器具についての操作は各ユニットハウスに備えられている操作スイッチが必要になっている。
【０００７】
そこで本考案は、上述の課題を解消すべく案出されたもので、ユニットハウスごとに設置された照明器具を、ユニットハウスを連結した場合でも一箇所で操作することが可能になり、照明器具の操作が容易なユニットハウス用照明具の提供を目的とするものである。
【課題を解決するための手段】
【０００８】
本考案の第１の手段は、室内の天井部分に装着されるユニットハウス用照明具において、ユニットハウス１の室内の天井部分に装着された照明器具８と、該室内の出入口５近傍に配置され照明器具８の点滅操作を遠隔操作せしめるリモコン９と、該リモコン９の信号を受信すると共に、室内の各照明器具８に配線された受信機７と、を備え、ユニットハウス１を複数棟連結して面積が広がった室内全ての照明器具８の点滅操作を、出入口５近傍に配置されたリモコン９にて行うように設けられたことにある。
【０００９】
第２の手段の前記ユニットハウス１は、ユニットハウス１ごとに装着される分電盤１３と、該分電盤１３から電源配線１２及び送り配線１０によってユニットハウス１ごとに配線された複数の照明器具８と、電源配線１２からジョイントボックス１７を介してから延長された受信機配線１１と、該受信機配線１１に配線された前記受信機７と、複数のユニットハウス１が連結されて面積が広がった室内の出入口５近傍に配置されたリモコン９とを備えたものである。
【００１０】
第３の手段の前記ユニットハウス１は、単体が平面矩形状を成し、四隅に配置された柱６と、該柱６に連結自在に設けられた壁パネル３と、該壁パネル３の下端部に連結される床パネル１６と、壁パネル３の上端部に連結される天井パネル１５とで構成され、複数のユニットハウス１が並列に連結され各ユニットハウス１を仕切る壁パネル３が取り外されたときに面積が広がる部屋を有することを課題解消のための手段とする。
【考案の効果】
【００１１】
本考案の請求項１、２により、複数のユニットハウス１が連結されても、室内全ての照明器具８をリモコン９で効率良くスイッチ操作することができる。この結果、従来のように連結されたユニットハウス１ごとに照明器具８を操作するといった煩わしい作業から開放された。
【００１２】
請求項２の如く、分電盤１３から電源配線１２及び送り配線１０によってユニットハウス１ごとに配線された複数の照明器具８と、電源配線１２からジョイントボックス１７を介して延長された受信機配線１１と、該受信機配線１１に配線された前記受信機７と、複数のユニットハウス１が連結されて面積が広がった室内の出入口５近傍に配置されたリモコン９とを備えたことにより、ユニットハウス１の数に係わらず、全ての照明器具８を出入口５近傍に設置したリモコン９で操作することができる。
【００１３】
請求項３によると、複数のユニットハウス１が並列に連結され各ユニットハウス１を仕切る壁パネル３が取り外されたときに面積が広がる部屋を有しているので、出入口５近傍のリモコン９により、ユニットハウス１の連結により形成された部屋の形状に合わせた操作が可能になる。
【００１４】
このように本考案によると、ユニットハウスを連結した場合でも照明器具を出入口５の近傍で操作することができ、拡張された部屋の形状に合わせた操作が可能になるなどといった有益な種々の効果を奏するものである。
【考案を実施するための最良の形態】
【００１５】
本考案の最良の形態は、ユニットハウス１ごとの天井部分に複数個の照明器具８と該照明器具８に配線された受信機７とを装着する。各受信機７を遠隔操作するリモコン９を室内への出入口５近傍に配置する。該リモコン９により、各受信機７を遠隔操作することで室内全ての照明器具８の電源操作を行うように設ける。ユニットハウス１に、ユニットハウス１ごとに装着される分電盤１３と、該分電盤１３から送り配線１０によってユニットハウス１ごとに配線された複数の照明器具８とを装着する。電源配線１２からジョイントボックス１７と受信機配線１１とを介して配線された前記受信機７を各ユニットハウス１に１個ずつ配置し、前記リモコン９で各ユニットハウス１の各受信機７を遠隔操作するように設ける。ユニットハウス１は、単体が平面矩形状を成し、四隅に配置された柱６と、該柱６に連結自在に設けられた壁パネル３と、該壁パネル３の下端部に連結される床パネル１６と、壁パネル３の上端部に連結される天井パネル１５とで構成する。複数のユニットハウス１が並列に連結されたときに各ユニットハウス１を仕切る壁パネル３が取り外された部屋を有し、前記照明器具８は、該部屋の天井部に装着されていることにより、当初の目的を達成するものである。
【実施例】
【００１６】
本考案照明具は、複数のユニットハウス１が連結されて１つの居住空間が形成された室内の天井部分に装着されるものである（図１、図２参照）。
【００１７】
各ユニットハウス１には、ユニットハウス１ごとの天井部分に複数個の照明器具８を装着している（図２参照）。更に、ユニットハウス１の室内の出入口５近傍に配置され照明器具８の点滅操作を遠隔操作せしめるリモコン９（発信機）が備えられている。そして、該リモコン９の信号を受信すると共に、室内の各照明器具８に配線された受信機７を天井に配置している。
【００１８】
本考案のユニットハウス１の構造は、単体が平面矩形状を成すもので、柱６、壁パネル３、床パネル１６、天井パネル１５を備えている。すなわち、四隅に配置された柱６と、該柱６に連結自在に設けられた壁パネル３と（図１参照）、該壁パネル３の下端部に連結される床パネル１６と、壁パネル３の上端部に連結される天井パネル１５（図３参照）とで構成している。このユニットハウス１では、複数のユニットハウス１が並列に連結され、各ユニットハウス１を仕切る壁パネル３が取り外されると、面積が拡大する部屋が形成されるものである（図１参照）。本考案で各ユニットハウス１を仕切る壁パネル３が取り外されたときとは、複数のユニットハウス１が並列に連結される前と、された後とを問わない。例えば、予め壁パネル３を取り除いたユニットハウス１を並列に連結しても、あるいは、ユニットハウス１を並列に連結した後で壁パネル３を取り除いても良い。
【００１９】
このようなユニットハウス１には、ユニットハウス１ごとに装着される分電盤１３や、この分電盤１３から送り配線１０によってユニットハウス１ごとに配線された複数の照明器具８を備えている（図２参照）。更に、電源配線１２からジョイントボックス１７と受信機配線１１とを介して配線された受信機７を、各ユニットハウス１に１個ずつ配置したものである（図４参照）。
【００２０】
このように、面積が拡大された部屋の天井部に装着されている照明器具８は、ユニットハウス１ごとに設置された各受信機７に配線されている（図１参照）。更に、各受信機７は、出入口５の近傍に設置されているリモコン９で遠隔操作するように設けられているので、ユニットハウス１を複数棟連結して面積が広がった室内全ての照明器具８の点滅操作を、出入口５近傍に配置されたリモコン９にて行うことができるものである。
【００２１】
図５乃至図７は、連結されたユニットハウス１の照明器具８をリモコン９で操作する例を示している。すなわち、図５（イ）は、全ての照明器具８を１つの出入口５近傍に備えられた１個のリモコン９で操作する例を示している。
【００２２】
同図（ロ）は、二箇所の出入口５近傍に備えられた２個のリモコン９でそれぞれ全ての照明器具８を操作するものである。
【００２３】
更に同図（ハ）は、連結されたユニットハウス１の部屋を二つに仕切っており、各部屋に通じるそれぞれの出入口５近傍にリモコン９を備えたものである。そして、照明器具８Ａ〜８Ｃと、照明器具８Ｄ、８Ｅとを別のリモコン９で操作するようにしている。
【００２４】
図６（イ）は、部屋を三つに仕切っており、照明器具８Ａ〜８Ｃをリモコン９で操作し、照明器具８Ｄ、８Ｅを在来の電気工事、すなわち、ユニットハウス１ごとに装着されたスイッチを利用するように設けたものである。
【００２５】
同図（ロ）は、１つの室内において制御するエリアを二つに分け、各エリアに対応するリモコン９を一箇所の出入口５近傍に、２個設置したものである。そして、照明器具８Ｄ、８Ｅを一方のリモコン９にて操作し、照明器具８Ａ〜８Ｃを他方のリモコン９にて操作するものである。このとき、リモコン９を２個用意するかわりに、２系統の操作が可能なリモコン９を１個用意しても良い。
【００２６】
同図（ハ）は、同図（ロ）の出入口５をエリア別に形成し、各出入口５に各エリアの照明器具８を操作するリモコン９を備えている。
【００２７】
図７は、センサー１４を使用して例を示している。すなわち、同図（イ）は、照明器具８Ａ〜８Ｆごとに人体を感知するセンサー１４を設置し、このセンサー１４が感知した照明器具８のみを点灯するようにしたものである。そして、部屋から出る際に、センサー１４が感知して全ての照明器具８が消灯する。このとき、リモコン９に手動モードを備えておくことで、照明器具８を手動操作することもできる。
【００２８】
同図（ロ）は、１つの室内において制御するエリアを二つに分け、各エリアに対応するリモコン９を一箇所の出入口５近傍に、２個設置した構成は、前記図６（ロ）と同じ構成である。図７（ロ）では、更に、一方のエリアにセンサー１４を備えた構成になっている。そして、照明器具８Ｄ、８Ｅを一方のリモコン９にて操作し、照明器具８Ａ〜８Ｃを他方のリモコン９にて操作するものである。このとき、リモコン９を２個用意するかわりに、２系統の操作が可能なリモコン９を１個用意しても良い。また、一方のエリアでは、人体を感知するセンサー１４が感知した照明器具８のみを点灯するようにしたものである。
【００２９】
尚、本考案における図示例の各構成は、本考案の一実施例に過ぎず、ユニットハウス１の形状や照明器具８の構成や数、配置位置、あるいは、リモコン９や受信機７の構成や数、配置位置等は、本考案の要旨を逸脱しない範囲において自由に変更することができるものである。
【図面の簡単な説明】
【００３０】
【図１】本考案の一実施例を示す平面図である。
【図２】本考案の配線状態の実施例を示す平面図である。
【図３】本考案ユニットハウスの一実施例を示す正面図である。
【図４】本考案照明具の配線図である。
【図５】（イ）〜（ハ）は、本考案照明器具の一実施例を示す平面図である。
【図６】（イ）〜（ハ）は、本考案照明器具の他の実施例を示す平面図である。
【図７】（イ）、（ロ）は、本考案照明器具の他の実施例を示す平面図である。
【符号の説明】
【００３１】
１  ユニットハウス
２  ユニットハウス二階部分
３  壁パネル
４  窓部
５  出入口
６  柱
７  受信機
８  照明器具
９  リモコン
１０  送り配線
１１  受信機配線
１２  電源配線
１３  分電盤
１４  センサー
１５  天井パネル
１６  床パネル
１７  ジョイントボックス
【図１】
0003147845.tif 000003
【図２】
0003147845.tif 000004
【図３】
0003147845.tif 000005
【図４】
0003147845.tif 000006
【図５】
0003147845.tif 000007
【図６】
0003147845.tif 000008
【図７】
0003147845.tif 000009